(57)【要約】【課題】旋回内側の操向クラッチを切って小回り旋回している時でも、前記クラッチ・ブレーキ操作具の操作により、左右のブレーキを作動させて左右の駆動後輪に同時に制動力を作用させ、前記制動力を前輪に伝えることにより４輪に制動力を作用させ、機体を確実に停止させることができる水田作業車を提供する。【解決手段】後輪駆動系４０に操向クラッチ７５Ｌ、７５Ｒと、その伝動下手側に操向ブレーキ９０Ｌ、９０Ｒを配置し、前記操向クラッチ７５Ｌ、７５Ｒの入り、切りに拘わらず駆動後輪に制動力を作用させると共に、入り状態になっている操向クラッチ７５Ｌ（又は７５Ｒ）側の制動力を後車軸６１およびプロペラシャフト５７を介して分岐軸３３に伝達し、該分岐軸３３を介して前輪駆動系３９に制動力を作用させることにより前輪を含む４輪に制動力を作用させる。【選択図】      図３
2004267161.tif 000002
【特許請求の範囲】
【請求項１】
前輪の所定以上の操向操作に連動して旋回内側となる駆動後輪の操向クラッチを切り、小回り旋回を可能とする差動機構を設け、クラッチ・ブレーキ操作具の操作に連動してメインクラッチを入り、切りする水田作業車において、
左右駆動後輪の操向クラッチの伝動下手側にそれぞれブレーキを設け、
前記クラッチ・ブレーキ操作具の操作によって前記左右のブレーキを前記操向クラッチとは独立して同時に作動させて前記左右の駆動後輪に制動力を作用させ、前記左右の駆動後輪に作用する制動力を前輪駆動系に伝えて４輪ブレーキを構成する、ことを特徴とする水田作業車。
【請求項２】
前記差動機構は、操向クラッチ及び操向ブレーキを有し、
前記ブレーキは、前記操向ブレーキで構成されている、ことを特徴とする請求項１記載の水田作業車。
【発明の詳細な説明】
【０００１】
【発明の属する技術分野】
本発明は、前輪の所定以上の操向操作に連動して旋回内側となる駆動後輪の操向クラッチを切り、小回り旋回を可能とした水田作業車に関する。
【０００２】
【従来の技術】
一般に、乗用田植機のような水田作業車は、畔際等で機体をＵターンさせて次ぎの植付行程に入る際に、前輪を大きく操向して小回り旋回する必要がある。このとき、旋回内側となる駆動後輪の操向クラッチを切れば、旋回内側の後輪が遊転しながら旋回するので円滑に小回り旋回することができる。
【０００３】
従来から、前輪の所定角度以上の操向操作により、左右の駆動後輪の旋回内側となる側の操向クラッチを切り操作して小回り旋回を行えるようにした水田作業車が有る（特許文献１参照）。
【０００４】
【特許文献１】
特開２０００−３５０５０６号公報  （第５−９頁  図８、図９）
【０００５】
【発明が解決しようとする課題】
前記水田作業車では、小回り旋回の途中において機体を停止させるべく、ブレーキペダルを踏み込み後輪軸にブレーキをかけても、サイドクラッチが切れている旋回内側の駆動後輪にはブレーキがかからないので、機体を停止させる制動力が不足する場合がある。
【０００６】
前記の事情に鑑み、本発明は、小回り旋回の途中で旋回内側のサイドクラッチが切れている場合でも十分な制動力を得ることができ、確実に機体を停止させることができるようにした水田作業車を提供することを目的とする。
【０００７】
【課題を解決するための手段】
請求項１に係る発明は、前輪（２、２）の所定以上の操向操作に連動して旋回内側となる駆動後輪（３、３）の操向クラッチ（７５Ｌ、７５Ｒ）を切り、小回り旋回を可能とする差動機構を設け、クラッチ・ブレーキ操作具（１１０）の操作に連動してメインクラッチ（２７）を入り、切りする水田作業車（１）において、
左右駆動後輪（３、３）の操向クラッチ（７５Ｌ、７５Ｒ）の伝動下手側にそれぞれブレーキ（９０Ｌ、９０Ｒ）を設け、
前記クラッチ・ブレーキ操作具（１１０）の操作によって前記左右のブレーキ（９０Ｌ、９０Ｒ）を前記操向クラッチ（７５Ｌ、７５Ｒ）とは独立して同時に作動させて前記左右の駆動後輪（３、３）に制動力を作用させ、前記左右の駆動後輪（３、３）に作用する制動力を前輪駆動系（３９）に伝えて４輪ブレーキを構成する、ことを特徴とする水田作業車にある。
【０００８】
請求項２に係る発明は、前記差動機構は、操向クラッチ（７５Ｌ、７５Ｒ）及び操向ブレーキ（９０Ｌ、９０Ｒ）を有し、
前記ブレーキ（９０Ｌ、９０Ｒ）は、前記操向ブレーキ（９０Ｌ、９０Ｒ）で構成されている、ことを特徴とする請求項１記載の水田作業車にある。
【０００９】
なお、括弧内の符号等は、図面と対照するためのものであり、これは、発明の理解を容易にするための便宜的なものであって、特許請求の範囲に何等影響を及ぼすものではない。
【００１０】
【発明の実施の形態】
以下、本発明の実施の形態を図面に基づいて説明する。
【００１１】
図１乃至図７は、本発明の実施の形態を示すもので、図１は、本発明を実施する水田作業車の一例を示す乗用田植機の平面図、図２は、図１の側面図、図３は、図１に示す乗用田植機の駆動系統の一例を示す展開図、図４は、サイドクラッチ・ブレーキ機構の操向クラッチとその作動部材の関係を示す側面断面図、図５は、サイドクラッチ・ブレーキ機構の操向ブレーキとその作動部材の関係を示す平面断面図、図６は、サイドクラッチ・ブレーキ機構における操向クラッチと操向サイドブレーキの作動部材の配置を示す側面図、図７は、クラッチ・ブレーキ操作具の連動構造を示す全体平面図、図８は、図７のリヤアクスルケース近傍の拡大正面図、図９は、図８の側面図である。
【００１２】
図１、図２において、水田作業車の一例として示す乗用田植機１は、前輪２、２および駆動後輪３、３を備えた機体フレーム５の前部に、ボンネット６で覆われたエンジン７が搭載されている。前記ボンネット６の後方には、運転席９が配設され、その前方にステアリングハンドル１０が配置されている。
【００１３】
前記機体フレーム５の後方には、平行リンク機構１１を介して植付部１２が昇降自在に支持されている。前記植付部１２は、苗載台１３、プランターケース１５、植付杆１６、フロート１７等により構成されている。一方前記機体フレーム５の前方には、前記ボンネット６及びステアリングハンドル１０の両側に位置するように、補助苗台１９が配設されている。
【００１４】
そして、前記機体フレーム５の走行に伴なって前記フロート１７で均した田面に、植付け作動する植付杆１６が苗載台１３から掻き取った単位植付け株の苗を植付けるようになっている。
【００１５】
前記乗用田植機１のトランスミッション２０は、図３に示すように、ミッションケース２１の側面に装着されたＨＳＴ変速装置２２により主変速された前記エンジン７（図２参照）の動力を前記植付部１２（図１、図２参照）に伝達する植付部駆動系２３と、前記前輪２、２及び駆動後輪３、３（図２参照）に伝達する走行駆動系２５とを備えている。なお、前記植付部駆動系２３は、本発明との関連がないので説明を省略する。
【００１６】
前記走行駆動系２５は、前記ＨＳＴ変速装置２２の出力を受け入れる入力軸２６を有し、該入力軸２６は、前記ミッションケース２１に回転自在に支持され、かつ前記ＨＳＴ変速装置２２の出力軸（図示せず）に接続された駆動軸２６ａと、該駆動軸２６ａに回転自在に外嵌された従動軸２６ｂとの２重構造になっている。そして、前記駆動軸２６ａと従動軸２６ｂの間にメインクラッチ２７が配置され、該メインクラッチ２７の入り、切りにより前記駆動軸２６ａと従動軸２６ｂの間の動力の伝達、遮断を切り替えるようになっている。前記従動軸２６ｂには、出力歯車２９が固定されている。
【００１７】
前記ミッションケース２１に前記入力軸２６と所定の間隔で平行に回転自在に支持された中間軸３０は、前記出力歯車２９と噛合う入力歯車３１と、該入力歯車３１に入力された駆動力を伝動下手側に伝達する出力歯車３２を備えている。
【００１８】
前記ミッションケース２１に前記中間軸３０と所定の間隔で平行に回転自在に支持された分岐軸３３は、前記出力歯車３２と噛合い駆動力を受ける入力歯車３５と、一端部に固定された出力歯車３６と、他端部に固定された出力歯車３７を備えている。そして、前記分岐軸３３は、前記出力歯車３６を介して前輪駆動系３９を駆動し、前記出力歯車３７を介して後輪駆動系４０を駆動するように、前記入力歯車から入力された駆動力を分岐する。
【００１９】
前記前輪駆動系３９は、前記ミッションケース２１の後部に回転自在に配置されたデファレンシャル機構４１のデフケース４２に前記出力歯車３５と噛合う入力歯車４３が配置され、該入力歯車４３を通して駆動力が入力される。また、前車軸４６Ｌ、４６Ｒは、前記ミッションケース２１の後部両側に固定された一対の車軸ケース４５Ｌ、４５Ｒにそれぞれ回転自在に支持され、それぞれ一端が前記デファレンシャル機構４１に接続されている。そして、前記デフケース４２は、前記分岐軸３３の出力歯車３６から入力歯車４３を介して駆動力の伝達を受けて回転し、前記デファレンシャル機構４１を介して前記前車軸４６Ｌ、４６Ｒを回転駆動する。なお、前記前車軸４６Ｌ、４６Ｒには、それぞれ出力歯車４７Ｌ、４７Ｒが固定されている。
【００２０】
前記各車軸ケース４５Ｌ、４５Ｒの各一端に固定されたフロントアクスルケース４９Ｌ、４９Ｒには、それぞれ伝動軸５０Ｌ、５０Ｒと支持軸５１Ｌ、５１Ｒが回転自在に配置されている。前記各伝動軸５０Ｌ、５０Ｒの一端には、前記前車軸４６Ｌ、４６Ｒの出力歯車４７Ｌ、４７Ｒと噛合う入力歯車５２Ｌ、５２Ｒが固定され、他端には、出力歯車５３Ｌ、５３Ｒが固定されている。また、前記各支持軸５１Ｌ、５１Ｒには、それぞれ前記出力歯車５３Ｌ、５３Ｒと噛合う入力歯車５５Ｌ、５５Ｒが固定されている。また、前記支持軸５１Ｌ、５１Ｒには、それぞれ前輪２、２（図１、図２参照）が支持されている。
【００２１】
従って、前記分岐軸３３の回転により前記デフケース４２が回転駆動されると、前記前車軸４６Ｌ、４６Ｒが回転し、前記出力歯車４７Ｌ、４７Ｒ、前記入力歯車５２Ｌ、５２Ｒ、前記伝動軸５０Ｌ、５０Ｒ、前記出力歯車５３Ｌ、５３Ｒ及び前記入力歯車５５Ｌ、５５Ｒを介して前記支持軸５１Ｌ、５１Ｒを回転駆動させ、前記支持軸５１Ｌ、５１Ｒに支持した前記前輪２、２を回転駆動することができる。
【００２２】
前記後輪駆動系４０は、前記機体フレーム５（図１、図２参照）の後部に配置された後車軸ケース５６に配置される。前記ミッションケース２１と前記後車軸ケース５６との間に回転自在に支持されたプロペラシャフト５７の一端には、前記分岐軸３３に固定された出力歯車３７と噛合う入力歯車５９が固定されている。従って、分岐軸３３の回転により前記前輪駆動系３９と後輪駆動系４０は同時に駆動されることになる。また、前記プロペラシャフト５７に他端には、出力歯車６０が固定されている。
【００２３】
後車軸６１は、前記後車軸ケース５６に回転自在に支持され、その中央部に前記出力歯車６０と噛合う入力歯車６２が固定されている。従って、前記分岐軸３３が回転駆動されることにより、前記出力歯車３７、前記入力歯車５９、前記プロペラシャフト５７、前記出力歯車６０及び入力歯車６２を介して前記後車軸６１が回転駆動される。
【００２４】
前記後車軸ケース５６の両端に固定されたリヤアクスルケース６３Ｌ、６３Ｒには、それぞれ前記後車軸６１と同一軸心上で所定の間隔で対向するように従動軸６５Ｌ、６５Ｒが回転自在に支持されている。これら従動軸６５Ｌ、６５Ｒに一端には、それぞれ出力歯車６６Ｌ、６６Ｒが固定されている。
【００２５】
前記リヤアクスルケース６３Ｌ、６３Ｒには、それぞれ前記従動軸６５Ｌ、６５Ｒと平行に、それぞれ所定の間隔で回転自在に支持された中間軸６７Ｌ、６７Ｒと支持軸６９Ｌ、６９Ｒが配置されている。そして、前記中間軸６７Ｌ、６７Ｒには、それぞれ前記出力歯車６６Ｌ、６６Ｒと噛合う入力歯車７０Ｌ、７０Ｒと、該入力歯車７０Ｌ、７０Ｒより小径の出力歯車７１Ｌ、７１Ｒが配置されている。また、前記支持軸６９Ｌ、６９Ｒには、それぞれ前記出力歯車７１Ｌ、７１Ｒと噛合う入力歯車７２Ｌ、７２Ｒが固定されている。そして、前記支持軸６９Ｌ、６９Ｒには、それぞれ前記駆動後輪３、３（図２参照）が支持されている。
【００２６】
従って、前記従動軸６５Ｌ、６５Ｒが回転すると、前記出力歯車６６Ｌ、６６Ｒ、前記入力歯車７０Ｌ、７０Ｒ、前記中間軸６７Ｌ、６７Ｒ、前記出力歯車７１Ｌ、７１Ｒ及び入力歯車７２Ｌ、７２Ｒを介して前記支持軸６９Ｌ、６９Ｒが回転駆動され、前記駆動後輪３、３を回転駆動することができる。
【００２７】
前記後車軸６１と前記各従動軸６５Ｌ、６５Ｒとの間には、前記リヤアクスルケース６３Ｌ、６３Ｒ内に位置するように、差動機構（サイドクラッチ・ブレーキ機構）７３Ｌ、７３Ｒが配置されている。前記差動機構７３Ｌ、７３Ｒは、それぞれ操向クラッチ７５Ｌ、７５Ｒと、その伝動下手側に配置された操向ブレーキ９０Ｌ、９０Ｒを備えている。なお、前記操向クラッチ７５Ｌと操向クラッチ７５Ｒは、同じ構成であるので操向クラッチ７５Ｒについて説明し、操向クラッチ７５Ｌの説明は省略する。
【００２８】
図４に示すように、前記操向クラッチ７５Ｒは、スリーブ軸７６を有し、該スリーブ軸７６は、前記後車軸ケース５６に回転自在に支持され、一端が前記後車軸６１に摺動自在に嵌合（例えば、スプライン嵌合）し、他端が前記従動軸６５Ｒに回転可能に嵌合している。複数枚のクラッチディスク７７は、それぞれ前記スリーブ軸７６の外周部にその軸心方向に摺動自在に嵌合（例えば、スプライン嵌合）している。
【００２９】
クラッチケース７９は、一端が前記クラッチディスク７７の外周部を覆うように形成され、他端が前記従動軸６５Ｒにその軸心方向に摺動自在に嵌合（例えば、スプライン嵌合）している。複数枚のクラッチディスク８０は、前記従動軸６５Ｒの軸心方向に前記クラッチディスク７７と交互に位置するように前記クラッチケース７９に摺動自在に嵌合（例えば、スプライン嵌合）し支持されている。
【００３０】
ストッパ８１は前記従動軸６５Ｒの所定の位置に前記クラッチディスク７７、８０の端面と対向するように固定されている。また、押圧リング８２は、前記クラッチディスク８０の端面と対向するように前記クラッチケース７９の所定の位置に固定されている。また、皿ばね８３は、前記ストッパ８１と前記クラッチケース７９の間に、前記クラッチケース７９を図４の右方向に付勢し、操向クラッチ７５Ｒの入り状態を維持するように配置されている。
【００３１】
前記クラッチケース７９の一端には、ベアリング８５を介して摺動リング８６が前記クラッチケース７９と相対的に回転自在に支持されている。前記摺動リング８６には作動ボス８６ａが形成されている。そして、前記作動ボス８６ａを前記従動軸６５Ｒの軸心方向（図４の左方向）に押圧することにより前記摺動リング８６を前記従動軸６５Ｒの軸心方向（図４の左方向）に移動させ、前記ベアリング８５を介して前記クラッチケース７９を図４の左側へ移動させる。
【００３２】
図６に示すように、前記リヤアクスルケース６３Ｒを上方から貫通する作動体８７の押圧部８７ａは、図４に示すように、前記作動ボス８６ａと対応する位置に配置され、前記作動体８７がその軸心を中心として一方向に回転したとき、前記押圧部８７ａが前記作動ボス８６ａを図４の左側へ押すように構成されている。
【００３３】
従って、前記作動ボス８６ａが前記押圧部８７ａで押圧されていない場合には、前記皿ばね８３の抗圧力により前記クラッチケース７９が図４の右側へ移動して、前記押圧リング８２により前記クラッチディスク８０を前記ストッパ８１側に押圧することにより、前記クラッチディスク７７とクラッチディスク８０を前記押圧リング８２と前記ストッパ８１に挟む形で圧着させ、前記操向クラッチ７５Ｒの入り状態を維持する。
【００３４】
一方、前記作動体８７の回転により前記押圧部８７ａで前記作動ボス８６ａが押圧され、前記クラッチケース７９が図４の左側に移動した状態では、前記クラッチディスク７７とクラッチディスク８０が前記ストッパ８１と押圧リング８２の間で解放され、接触圧が作用しなくなり、前記操向クラッチ７５Ｒが切られた状態になる。
【００３５】
前記操向ブレーキ９０Ｌと操向ブレーキ９０Ｒは、同じ構成であるので操向ブレーキ９０Ｒについて説明し、操向ブレーキ９０Ｌの説明は省略する。
【００３６】
図５に示すように、前記操向ブレーキ９０Ｒは、前記クラッチケース７９の一端にその軸心方向に摺動自在に嵌合（例えば、スプライン嵌合）する複数枚のブレーキディスク９１を有している。また、前記ブレーキディスク９１と対応するブレーキディスク９２は、前記リヤアクスルケース６３Ｒに前記ブレーキディスク９１と交互に位置するように前記従動軸６５Ｒの軸心方向に摺動自在に嵌合（例えば、スプライン嵌合）している。
【００３７】
皿ばね９３は、前記ブレーキディスク９２と接するように前記リヤアクスルケース６３Ｒ内に配置されている。また、前記皿ばね９３と対向する摺動リング９５は、前記操向クラッチ７５の摺動リング８６に前記従動軸６５Ｒの軸心方向に摺動自在に外嵌されている。なお、前記摺動リング９５の右端部には、切欠き９５ａが形成され、該切欠き９５ａを前記操向クラッチ７５Ｌ、７５Ｒの摺動リング８６の作動ボス８６ａが摺動自在に貫通している。
【００３８】
図６に示すように、前記リヤアクスルケース６３Ｒを側方から貫通する作動体９６の押圧部９６ａは、図５に示すように、前記摺動リング９５の一端と対応する位置に配置され、前記作動体９６がその軸心を中心として回転したとき、前記押圧部９６ａが前記摺動リング９５を図５の左側へ押すように構成されている。
【００３９】
そして、前記皿ばね９３の抗圧力によって前記摺動リング９５が図５の右側に押し戻されている状態では、前記ブレーキディスク９１とブレーキディスク９２の間に接触圧が作用しないため、制動力は発生しない。
【００４０】
また、前記作動体９６の回転により前記押圧部９６ａに前記摺動リング９５が押され図５の左側へ移動すると、前記皿ばね９３を圧縮し、前記皿ばね９３により前記ブレーキディスク９１及びブレーキディスク９２を前記リヤアクスルケース６３Ｒに押付け制動力を発生させる。そして、前記ブレーキディスク９１の回転を止めることにより前記クラッチケース７９の回転を止めて、前記従動軸６５Ｒの回転を停止させる。この時、前記操向クラッチ７５Ｒが入り状態になっていると、前記操向ブレーキ９０Ｒで発生した制動力で前記後車軸６１も停止させることになる。
【００４１】
前記乗用田植機１の操向機構１００は、図７に示すように構成されている。ステアリングハンドル１０（図１参照）のパワーステアリング操作に連動するピットマンアーム１０１が連動杆１０２、リンク体１０３、連結杆１０５等からなる連動機構１０６、１０６を介して前記作動体８７の作動リンク１０７、１０７に連結されている。
【００４２】
そして、前記ステアリングハンドル１０（図１参照）を所定角度以上にステアリング操作したときには、ステアリングハンドル１０の操作に連動して旋回内側となる前記作動体８７が回動して、前記作動ボス８６ａを押圧して前記摺動リング８６を図４の左方向へ摺動させ、前記クラッチケース７９を前記皿ばね８３の抗圧力に抗して図４の左方向へ移動させ、前記操向クラッチ７５Ｒ（又は７５Ｌ）を切る。なお、前記ステアリングハンドル１０を所定角度以内の戻した時には、前記作動体８７が回動して作動ボス８６ａに対する押圧力を開放するため、前記皿ばね８３の抗圧力により前記クラッチケース７９が前記操向ブレーキ９０Ｒ（又は９０Ｌ）側に移動して前記操向クラッチ７５Ｒ（又は７５Ｌ）が入り状態になる。
【００４３】
前記乗用田植機１の制動機構１０９は、図７に示すように構成されている。クラッチ・ブレーキ操作具の一例であるクラッチ・ブレーキペダル１１０は、連動機構１１１を介して前記ミッションケース２１内の前記入力軸２６に配置された前記メインクラッチ２７（図３参照）に連結されている。また、連結杆１１２は、前記機体フレーム５（図１、図２参照）の一方の側面（本実施の形態では機体フレーム５の右側面）の外側に沿って前記リヤアクスルケース６３Ｒの前方まで延設され、前記クラッチ・ブレーキペダル１１０の踏み込みに連動して前記機体フレーム５の前後方向に移動する。リンク体１１３は、前記連結杆１１２の前後方向の動きを前記機体フレーム５の左右方向の動きに変換して作動杆１１５に伝達する。前記作動杆１１５の両端には、それぞれリンク体１１６が配置され、作動杆１１５の左右方向の動きを回転方向の動きに変換して、前記操向ブレーキ９０Ｌ、９０Ｒ（図５参照）の前記作動体９６に連結された作動リンク１０７に伝達する。
【００４４】
そして、前記クラッチ・ブレーキペダル１１０を踏み込んだとき、まず、前記連動機構１１１を介して前記メインクラッチ２７を切り、前記前輪２及び駆動後輪３への動力の伝動を遮断する。さらに、前記クラッチ・ブレーキペダル１１０を踏み込むと前記連結杆１１２、前記リンク体１１３、前記作動杆１１５、前記リンク体１１６及び作動リンク１０７を介して前記作動体９６を作動させ、押圧部９６ａで前記摺動リング９５を押圧して前記皿ばね９３押圧して、前記操向ブレーキ９０Ｌ、９０Ｒをかけるようになっている。
【００４５】
本実施の形態における乗用田植機１は、前記のような構成であるので、メインクラッチ２７及び操向クラッチ７５Ｌ、７５Ｒが入り状態で、操向ブレーキ９０Ｌ、９０Ｒが切り状態であるときには、ＨＳＴ変速装置２２で主変速されたエンジン７の出力が、入力軸２６、中間軸３０、分岐軸３３、デファレンシャル機構４１、前車軸４６Ｌ、４６Ｒ、伝動軸５０Ｌ、５０Ｒ及び支持軸５１Ｌ、５１Ｒに伝達され、前輪２、２を回転駆動し、前記分岐軸３３からプロペラシャフト５７、後車軸６１、従動軸６５Ｌ、６５Ｒ、中間軸６７Ｌ、６７Ｒ及び支持軸６９Ｌ、６９Ｒに伝達され、駆動後輪３、３を回転駆動する。即ち、乗用田植機１は４輪駆動された状態で走行する。そして、ステアリングハンドル１０をステアリング操作することにより、前輪２を所望の方向に向けさせ、乗用田植機１を旋回させて走行方向を変更することができる。
【００４６】
水田の畔際等で、ステアリングハンドル１０を所定角度以上にステアリング操作すると、ステアリングハンドル１０の操作に連動して、乗用田植機１の旋回内側となる駆動後輪３（３）側の作動体８７Ｌ（又は８７Ｒ、図４参照）が回動して、押圧部８７ａが作動ボス８６ａを摺動させてクラッチケース７９を皿ばね８３の抗圧力に抗して後車軸６１側へ移動させ、操向クラッチ７５Ｌ（又は７５Ｒ）を切る。
【００４７】
従って、操向クラッチ７５Ｌ（又は７５Ｒ）が切られた側の従動軸６５Ｌ（又は６５Ｒ）への動力の伝達が遮断されるので、乗用田植機１の旋回内側となる駆動後輪３には駆動力が伝達されず、乗用田植機１は前輪２、２と旋回外側となる駆動後輪３が駆動される３輪駆動の状態で旋回することになる。このとき、旋回内側となる駆動後輪３は、乗用田植機１の旋回走行に伴なって遊転する状態となり、乗用田植機１の小回り旋回が行われる。
【００４８】
また、乗用田植機１が小回り旋回している状態で、即ち、旋回内側となる駆動後輪３への動力の伝達が遮断されている状態で、クラッチ・ブレーキペダル１１０を踏み込むと、まず、連動機構１１１を介してメインクラッチ２７が切れて、走行駆動系２５への動力の伝達が遮断される。
【００４９】
さらに、クラッチ・ブレーキペダル１１０を踏み込むと、連結杆１１２、リンク体１１３、作動杆１１５、リンク体１１６及び作動リンク１０７を介して作動体９６（図５参照）が回動して、各押圧部９６ａがそれぞれ操向ブレーキ９０Ｌ、９０Ｒの摺動リング９５を後車軸６１側に押し込む。
【００５０】
すると、摺動リング９５は、皿ばね９３を後車軸６１側に押し込み、皿ばね９３を介してブレーキディスク９２及びブレーキディスク９１を後車軸６１側に移動させてリヤアクスルケース６３Ｌ、６３Ｒに押付け、ブレーキディスク９２でブレーキディスク９１を挟み込むように圧接させ、ブレーキディスク９１に制動力を作用させて回転を止める。
【００５１】
ブレーキディスク９１の回転が止まると、ブレーキディスク９１に作用する制動力がブレーキディスク９１を支持するクラッチケース７９に伝達されて、クラッチケース７９の回転が止められる。このクラッチケース７９の制動によりクラッチケース７９の一端を支持する従動軸６５Ｌ、６５Ｒに制動力が伝達され、従動軸６５Ｌ、６５Ｒの回転を止める。従って、従動軸６５Ｌ、６５Ｒから駆動力が伝達される各駆動後輪３、３に制動力が作用して、駆動後輪３、３の回転を止めることができる。
【００５２】
このとき、操向ブレーキ９０Ｌ、９０Ｒが操向クラッチ７５Ｌ、７５Ｒの伝動下手側に配置されているので、操向クラッチ７５Ｌ、７５Ｒの入り、切りに拘わりなく、駆動後輪３、３に制動力を作用させることができる。
【００５３】
また、乗用田植機１の旋回外側となる駆動後輪３側の操向クラッチ７５Ｌ（又は７５Ｒ）は、入り状態になっているため、クラッチケース７９に作用する制動力がクラッチディスク８０、クラッチディスク７７を介してスリーブ軸７６に伝達されて、スリーブ軸７６の回転を停止させる。すると、スリーブ軸７６に作用する制動力は、スリーブ軸７６の一端を支持する後車軸６１に伝達され、後車軸６１の回転を停止させる。
【００５４】
後車軸６１に伝達された制動力は、図３に示す入力歯車６２、出力歯車６０、プロペラシャフト５７、入力歯車５９及び出力歯車３７を介して分岐軸３３に伝達され、分岐軸３３の回転を停止させる。このとき、メインクラッチ２７が切られているので、中間軸３０側から分岐軸３３への動力の伝達は遮断されている。従って、プロペラシャフト５７を通して伝達される制動力によって分岐軸３３を確実に停止させることができる。
【００５５】
分岐軸３３に作用する制動力は、出力歯車３６から前輪駆動系３９を通して、即ち、入力歯車４３、デファレンシャル機構４１、前車軸４６Ｌ、４６Ｒ、出力歯車４７Ｌ、４７Ｒ、入力歯車５２Ｌ、５２Ｒ、伝動軸５０Ｌ、５０Ｒ、出力歯車５３Ｌ、５３Ｒ及び入力歯車５５Ｌ、５５Ｒを介して支持軸５１Ｌ、５１Ｒに伝達され、支持軸５１Ｌ、５１Ｒに支持された前輪２、２に制動力を作用させる。
【００５６】
従って、乗用田植機１を小回り旋回させている状態であっても、クラッチ・ブレーキペダル１１０を踏み込むことにより、乗用田植機１の前輪２、２及び駆動後輪３、３の４輪を制動する形で停止させることができ、乗用田植機１を確実に停止させることができる。また、前輪２、２側にブレーキを設ける必要もないので、乗用田植機１の小型化を可能にすることができる。
【００５７】
【発明の効果】
請求項１に係る発明によれば、左右駆動後輪の操向クラッチの伝動下手側にそれぞれブレーキを設け、クラッチ・ブレーキ操作具の操作によって前記左右のブレーキを前記操向クラッチとは独立して同時に作動させるようにしたので、旋回内側の操向クラッチを切って小回り旋回している時でも、前記クラッチ・ブレーキ操作具の操作により、前記左右のブレーキを作動させて左右の駆動後輪に同時に制動力を作用させ、前記制動力を前輪に伝えることにより４輪に制動力を作用させ、機体を確実に停止させることができる。
【００５８】
請求項２に係る発明によれば、前記ブレーキを、差動機構の操向ブレーキで構成しているので、確実に制動力を作用させることができる。
【図面の簡単な説明】
【図１】本発明を実施する水田作業車の一例を示す乗用田植機の平面図。
【図２】図１の側面図。
【図３】図１に示す乗用田植機の駆動系統の一例を示す展開図。
【図４】サイドクラッチ・ブレーキ機構の操向クラッチとその作動部材の関係を示す側面断面図。
【図５】サイドクラッチ・ブレーキ機構の操向ブレーキとその作動部材の関係を示す平面断面図。
【図６】サイドクラッチ・ブレーキ機構における操向クラッチと操向サイドブレーキの作動部材の配置を示す側面図。
【図７】クラッチ・ブレーキ操作具の連動構造を示す全体平面図。
【図８】図７のリヤアクスルケース近傍の拡大正面図。
【図９】図８の側面図。
【符号の説明】
１…水田作業車（乗用田植機）
２、２…前輪
３、３…後輪
２７…メインクラッチ
７３Ｌ、７３Ｒ…差動機構（サイドクラッチ・ブレーキ機構）
７５Ｌ、７５Ｒ…操向クラッチ
９０Ｌ、９０Ｒ…ブレーキ、操向ブレーキ
１１０…クラッチ・ブレーキ操作具（クラッチ・ブレーキペダル）
【図１】
2004267161.tif 000003
【図２】
2004267161.tif 000004
【図３】
2004267161.tif 000005
【図４】
2004267161.tif 000006
【図５】
2004267161.tif 000007
【図６】
2004267161.tif 000008
【図７】
2004267161.tif 000009
【図８】
2004267161.tif 000010
【図９】
2004267161.tif 000011